【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
角度及び偏心パラメータのうちの少なくとも１つを特徴とする第１データ層及び第２データ層と、
前記角度及び前記偏心パラメータのうちの少なくとも１つに関する符号化された情報と
を有し、
前記符号化された情報は、データディスクを認証することにおいて使用され、それにより、該データディスクは、前記角度及び前記偏心パラメータのうちの前記少なくとも１つに関する測定された情報が前記符号化された情報と整合する場合に認証される、データディスク。
【請求項２】
前記少なくとも１つの角度は、前記第１データ層における第１セクタと前記第２データ層における第２セクタとの間に定められる、
請求項１に記載のデータディスク。
【請求項３】
前記少なくとも１つの角度は、複数のセクタ対に関して定められる複数の角度を含み、夫々のセクタ対は、前記第１データ層における第１セクタ及び前記第２データ層における第２セクタを有する、
請求項１に記載のデータディスク。
【請求項４】
前記少なくとも１つの角度は、前記第１データ層及び前記第２データ層の相対的な向きに関連づけられる、
請求項１に記載のデータディスク。
【請求項５】
前記偏心パラメータは、偏心の大きさ及び偏心の角度のうちの少なくとも１つを含む、
請求項１乃至４のうちいずれか一項に記載のデータディスク。
【請求項６】
前記偏心の角度は、前記第１データ層及び前記第２データ層のうちの少なくとも１つに関して定められる、
請求項５に記載のデータディスク。
【請求項７】
前記偏心パラメータは、前記第２データ層に対する前記第１データ層、前記第１データ層を含む第１の基板の中心に対する前記第１データ層、及び前記第１の基板の中心に対する前記第２データ層、のうちの少なくとも１つに関して定められる、
請求項１乃至６のうちいずれか一項に記載のデータディスク。
【請求項８】
前記第２データ層に対する前記第１データ層の前記偏心パラメータは、前記第１データ層及び前記第２データ層の夫々の中心の間のオフセットによって与えられる大きさと、前記第１データ層に関連する第１の角度と前記第２データ層に関連する第２の角度との間の差として定義される偏心の角度とを含み、
前記第１の角度及び前記第２の角度はいずれも、１周回パルス、位相ロックループ、又は前記第１データ層若しくは前記第２データ層のうちの１つにおける所定のセクタ境界、のうちの１つに対して定められる、
請求項７に記載のデータディスク。
【請求項９】
前記符号化された情報は、前記角度及び前記偏心パラメータのうちの少なくとも１つに関する関数から計算される少なくとも１つの識別子を含む、
請求項１乃至８のうちいずれか一項に記載のデータディスク。
【請求項１０】
前記符号化された情報は、少なくとも２つの異なるセクタ対に関して定められる少なくとも２つの角度に関する情報を含み、夫々のセクタ対は、前記第１データ層における第１セクタ及び前記第２データ層における第２セクタを有する、
請求項１乃至９のうちいずれか一項に記載のデータディスク。
【請求項１１】
前記符号化された情報は、当該データディスクに関し、バーストカッティングエリア及び無線周波数識別チップのうちの少なくとも１つにおいて提供される、
請求項１乃至１０のうちいずれか一項に記載のデータディスク。
【請求項１２】
前記第１データ層は第１の基板に形成され、前記第２データ層は第２の基板に形成され、当該データディスクは、前記第１の基板を前記第２の基板に固着することによって形成される、
請求項１乃至１１のうちいずれか一項に記載のデータディスク。
【請求項１３】
前記第１データ層及び前記第２データ層は単一の基板に形成される、
請求項１乃至１２のうちいずれか一項に記載のデータディスク。
【請求項１４】
データディスクを形成する方法であって、
少なくとも１つの基板に、角度及び偏心パラメータのうちの少なくとも１つを特徴とする第１データ層及び第２データ層を形成するステップと、
前記角度及び前記偏心パラメータのうちの少なくとも１つに関する符号化された情報をデータディスクに設けるステップと
を有し、
前記符号化された情報は、前記データディスクを認証することにおいて使用され、それにより、前記データディスクは、前記角度及び前記偏心パラメータのうちの前記少なくとも１つに関する測定された情報が前記符号化された情報と整合する場合に認証される、方法。
【請求項１５】
ディスク認証の方法であって
第１データ層及び第２データ層と、該第１データ層及び第２データ層に関連する角度及び偏心パラメータのうちの少なくとも１つに関する符号化された情報とを有するデータディスクを提供するステップと、
前記角度及び前記偏心パラメータのうちの少なくとも１つを測定するステップと、
前記測定された角度及び前記測定された偏心パラメータのうちの少なくとも１つに関する測定された情報を前記符号化された情報と比較して、前記符号化された情報が前記測定された情報と整合する場合に前記データディスクが認証されるようにすることによって、前記データディスクを認証するステップと
を有する方法。
【請求項１６】
前記少なくとも１つの角度は、前記第１データ層及び前記第２データ層の相対的な向きに関連づけられる、
請求項１４又は１５に記載の方法。
【請求項１７】
前記少なくとも１つの角度は、複数のセクタ対に関して定められる複数の角度を含み、夫々のセクタ対は、前記第１データ層における第１セクタ及び前記第２データ層における第２セクタを有する、
請求項１４又は請求項１５に記載の方法。
【請求項１８】
前記少なくとも１つの角度は、前記第１データ層及び前記第２データ層の相対的な向きに関連づけられる、
請求項１４又は１５に記載の認証方法。
【請求項１９】
前記偏心パラメータは、偏心の大きさ及び偏心の角度のうちの少なくとも１つを含む、
請求項１５乃至１８のうちいずれか一項に記載の方法。
【請求項２０】
前記偏心の角度は、前記第１データ層及び前記第２データ層のうちの少なくとも１つに関して定められる、
請求項１９に記載の方法。
【請求項２１】
前記偏心パラメータは、前記第２データ層に対する前記第１データ層、前記第１データ層を含む第１の基板の中心に対する前記第１データ層、及び前記第１の基板の中心に対する前記第２データ層、のうちの少なくとも１つに関して定められる、
請求項１４乃至２０のうちいずれか一項に記載の方法。
【請求項２２】
前記第２データ層に対する前記第１データ層の前記偏心パラメータは、前記第１データ層及び前記第２データ層の夫々の中心の間のオフセットによって与えられる大きさと、前記第１データ層に関連する第１の角度と前記第２データ層に関連する第２の角度との間の差として定義される偏心の角度とを含み、
前記第１の角度及び前記第２の角度はいずれも、１周回パルス、位相ロックループ、又は前記第１データ層若しくは前記第２データ層のうちの１つにおける所定のセクタ境界、のうちの１つに対して定められる、
請求項２１に記載の方法。
【請求項２３】
前記符号化された情報は、前記角度及び前記偏心パラメータのうちの少なくとも１つに関する関数から計算される少なくとも１つの識別子を含む、
請求項１４乃至２２のうちいずれか一項に記載の方法。
【請求項２４】
前記符号化された情報は、少なくとも２つの異なるセクタ対に関して定められる少なくとも２つの角度に関する情報を含み、夫々のセクタ対は、前記第１データ層における第１セクタ及び前記第２データ層における第２セクタを有する、
請求項１４乃至２３のうちいずれか一項に記載の方法。
【請求項２５】
前記符号化された情報は、当該データディスクに関し、バーストカッティングエリア及び無線周波数識別チップのうちの少なくとも１つにおいて提供される、
請求項１４乃至２４のうちいずれか一項に記載の方法。
【請求項２６】
前記第１データ層を第１の基板に形成するステップと、
前記第２データ層を第２の基板に形成するステップと、
前記第１の基板を前記第２の基板に固着するステップと
を更に有する、請求項１４乃至２５のうちいずれか一項に記載の方法。
【請求項２７】
前記第１データ層及び前記第２データ層を単一の基板に形成するステップ
を有する、請求項１４乃至２６のうちいずれか一項に記載の方法。
【請求項２８】
ディスク認証のための装置であって、
データディスクの第１データ層及び第２データ層に関連する角度及び偏心パラメータのうちの少なくとも１つを測定するよう構成されるディスク読み取り器と、
前記測定された角度及び前記測定された偏心パラメータのうちの少なくとも１つが前記データディスクにおける符号化された情報と整合するかどうかを決定するよう構成されるプロセッサと
を有し、
前記符号化された情報は、前記角度及び前記偏心パラメータのうちの少なくとも１つに関し、
前記符号化された情報は、前記データディスクを認証することにおいて使用され、それにより、該データディスクは、前記角度及び前記偏心パラメータのうちの前記少なくとも１つに関する測定された情報が前記符号化された情報と整合する場合に認証される、装置。
【手続補正２】
【補正対象書類名】明細書
【補正対象項目名】００４２
【補正方法】変更
【補正の内容】
【００４２】
上記が本発明の様々な実施形態を対象とする一方、本発明の他の実施形態はその基本的範囲から逸脱することなしに考案されてよい。例えば、上記の例において記載される１又はそれ以上の特徴は変更され、省略され、及び／又は異なる組み合わせにおいて使用されてよい。よって、本発明の適切な適用範囲は、特許請求の範囲に従って決定されるべきである。  
上記の実施形態に加えて、以下の付記を開示する。
（付記１）
角度及び偏心パラメータのうちの少なくとも１つを特徴とする第１データ層及び第２データ層と、
前記角度及び前記偏心パラメータのうちの少なくとも１つに関する符号化された情報と
を有するデータディスク。
（付記２）
前記少なくとも１つの角度は、前記第１データ層における第１セクタと前記第２データ層における第２セクタとの間に定められる、
付記１に記載のデータディスク。
（付記３）
前記少なくとも１つの角度は、複数のセクタ対に関して定められる複数の角度を含み、夫々のセクタ対は、前記第１データ層における第１セクタ及び前記第２データ層における第２セクタを有する、
付記１に記載のデータディスク。
（付記４）
前記少なくとも１つの角度は、前記第１データ層及び前記第２データ層の相対的な向きに関連づけられる、
付記１に記載のデータディスク。
（付記５）
前記偏心パラメータは、偏心の大きさ及び偏心の角度のうちの少なくとも１つを含む、
付記１乃至４のうちいずれか一項に記載のデータディスク。
（付記６）
前記偏心の角度は、前記第１データ層及び前記第２データ層のうちの少なくとも１つに関して定められる、
付記５に記載のデータディスク。
（付記７）
前記偏心パラメータは、前記第２データ層に対する前記第１データ層、前記第１データ層を含む第１の基板の中心に対する前記第１データ層、及び前記第１の基板の中心に対する前記第２データ層、のうちの少なくとも１つに関して定められる、
付記１乃至６のうちいずれか一項に記載のデータディスク。
（付記８）
前記第２データ層に対する前記第１データ層の前記偏心パラメータは、前記第１データ層及び前記第２データ層の夫々の中心の間のオフセットによって与えられる大きさと、前記第１データ層に関連する第１の角度と前記第２データ層に関連する第２の角度との間の差として定義される偏心の角度とを含み、
前記第１の角度及び前記第２の角度はいずれも、１周回パルス、位相ロックループ、又は前記第１データ層若しくは前記第２データ層のうちの１つにおける所定のセクタ境界、のうちの１つに対して定められる、
付記７に記載のデータディスク。
（付記９）
前記符号化された情報は、前記角度及び前記偏心パラメータのうちの少なくとも１つに関する関数から計算される少なくとも１つの識別子を含む、
付記１乃至８のうちいずれか一項に記載のデータディスク。
（付記１０）
前記符号化された情報は、少なくとも２つの異なるセクタ対に関して定められる少なくとも２つの角度に関する情報を含み、夫々のセクタ対は、前記第１データ層における第１セクタ及び前記第２データ層における第２セクタを有する、
付記１乃至９のうちいずれか一項に記載のデータディスク。
（付記１１）
前記符号化された情報は、当該データディスクに関し、バーストカッティングエリア及び無線周波数識別チップのうちの少なくとも１つにおいて提供される、
付記１乃至１０のうちいずれか一項に記載のデータディスク。
（付記１２）
前記第１データ層は第１の基板に形成され、前記第２データ層は第２の基板に形成され、当該データディスクは、前記第１の基板を前記第２の基板に固着することによって形成される、
付記１乃至１１のうちいずれか一項に記載のデータディスク。
（付記１３）
前記第１データ層及び前記第２データ層は単一の基板に形成される、
付記１乃至１２のうちいずれか一項に記載のデータディスク。
（付記１４）
データディスクを形成する方法であって、
少なくとも１つの基板に、角度及び偏心パラメータのうちの少なくとも１つを特徴とする第１データ層及び第２データ層を形成するステップと、
前記角度及び前記偏心パラメータのうちの少なくとも１つに関する符号化された情報をデータディスクに設けるステップと
を有する方法。
（付記１５）
ディスク認証の方法であって
第１データ層及び第２データ層と、該第１データ層及び第２データ層に関連する角度及び偏心パラメータのうちの少なくとも１つに関する符号化された情報とを有するデータディスクを提供するステップと、
前記角度及び前記偏心パラメータのうちの少なくとも１つを測定するステップと、
前記測定された角度及び前記測定された偏心パラメータのうちの少なくとも１つを前記符号化された情報と比較することによって前記データディスクを認証するステップと
を有する方法。
（付記１６）
前記少なくとも１つの角度は、前記第１データ層及び前記第２データ層の相対的な向きに関連づけられる、
付記１４又は１５に記載の方法。
（付記１７）
前記少なくとも１つの角度は、複数のセクタ対に関して定められる複数の角度を含み、夫々のセクタ対は、前記第１データ層における第１セクタ及び前記第２データ層における第２セクタを有する、
付記１４又は付記１５に記載の方法。
（付記１８）
前記少なくとも１つの角度は、前記第１データ層及び前記第２データ層の相対的な向きに関連づけられる、
付記１４又は１５に記載の認証方法。
（付記１９）
前記偏心パラメータは、偏心の大きさ及び偏心の角度のうちの少なくとも１つを含む、
付記１５乃至１８のうちいずれか一項に記載の方法。
（付記２０）
前記偏心の角度は、前記第１データ層及び前記第２データ層のうちの少なくとも１つに関して定められる、
付記１９に記載の方法。
（付記２１）
前記偏心パラメータは、前記第２データ層に対する前記第１データ層、前記第１データ層を含む第１の基板の中心に対する前記第１データ層、及び前記第１の基板の中心に対する前記第２データ層、のうちの少なくとも１つに関して定められる、
付記１４乃至２０のうちいずれか一項に記載の方法。
（付記２２）
前記第２データ層に対する前記第１データ層の前記偏心パラメータは、前記第１データ層及び前記第２データ層の夫々の中心の間のオフセットによって与えられる大きさと、前記第１データ層に関連する第１の角度と前記第２データ層に関連する第２の角度との間の差として定義される偏心の角度とを含み、
前記第１の角度及び前記第２の角度はいずれも、１周回パルス、位相ロックループ、又は前記第１データ層若しくは前記第２データ層のうちの１つにおける所定のセクタ境界、のうちの１つに対して定められる、
付記２１に記載の方法。
（付記２３）
前記符号化された情報は、前記角度及び前記偏心パラメータのうちの少なくとも１つに関する関数から計算される少なくとも１つの識別子を含む、
付記１４乃至２２のうちいずれか一項に記載の方法。
（付記２４）
前記符号化された情報は、少なくとも２つの異なるセクタ対に関して定められる少なくとも２つの角度に関する情報を含み、夫々のセクタ対は、前記第１データ層における第１セクタ及び前記第２データ層における第２セクタを有する、
付記１４乃至２３のうちいずれか一項に記載の方法。
（付記２５）
前記符号化された情報は、当該データディスクに関し、バーストカッティングエリア及び無線周波数識別チップのうちの少なくとも１つにおいて提供される、
付記１４乃至２４のうちいずれか一項に記載の方法。
（付記２６）
前記第１データ層を第１の基板に形成するステップと、
前記第２データ層を第２の基板に形成するステップと、
前記第１の基板を前記第２の基板に固着するステップと
を更に有する、付記１４乃至２５のうちいずれか一項に記載の方法。
（付記２７）
前記第１データ層及び前記第２データ層を単一の基板に形成するステップ
を有する、付記１４乃至２６のうちいずれか一項に記載の方法。
（付記２８）
ディスク認証のための装置であって、
データディスクの第１データ層及び第２データ層に関連する角度及び偏心パラメータのうちの少なくとも１つを測定するよう構成されるディスク読み取り器と、
前記測定された角度及び前記測定された偏心パラメータのうちの少なくとも１つが前記データディスクにおける符号化された情報と整合するかどうかを決定するよう構成されるプロセッサと
を有し、
前記符号化された情報は、前記角度及び前記偏心パラメータのうちの少なくとも１つに関する、装置。